(57)【要約】      （修正有）【課題】適宜な力でブラッシングできる動物用毛梳き具を提供する。【解決手段】ブラッシング用の複数の突起２と、複数の突起が突設された保持部３と、保持部に延設された把持部４と、を備え、把持部は、指を通すための貫通孔４５が設けられたリング状の第１指掛け部４２を有する。【選択図】図１
0003201133.tif 000002
【実用新案登録請求の範囲】
【請求項１】
ブラッシング用の複数の突起と、
複数の前記突起が突設された保持部と、
前記保持部に延設された把持部と、を備え、
前記把持部は、指を通すための貫通孔が設けられたリング状の第１指掛け部を含む
ことを特徴とする動物用毛梳き具。
【請求項２】
請求項１に記載の動物用毛梳き具であって、
前記把持部は、前記第１指掛け部に延設され、最大幅が前記第１指掛け部の外縁の最大幅より広い第２指掛け部を含む
ことを特徴とする動物用毛梳き具。
【請求項３】
請求項１又は２に記載の動物用毛梳き具であって、
前記第１指掛け部の内径の最大幅は、２０ｍｍ〜７０ｍｍである
ことを特徴とする動物用毛梳き具。
【請求項４】
請求項１〜３のいずれか一項に記載の動物用毛梳き具であって、
前記第１指掛け部の内径の最大幅は、２０ｍｍ〜４０ｍｍである
ことを特徴とする動物用毛梳き具。
【請求項５】
請求項２に記載の動物用毛梳き具であって、
前記第２指掛け部は、
前記第１指掛け部の外縁にそれぞれ延続して形成され、指を当てるための一対の凹部と、
一対の前記凹部にそれぞれ延続して形成され、指を掛けるための一対の凸部と、を含む
ことを特徴とする動物用毛梳き具。
【請求項６】
請求項２又は５に記載の動物用毛梳き具であって、
前記把持部は、前記第２指掛け部に延設された握り部を含む
ことを特徴とする動物用毛梳き具。
【請求項７】
請求項２又は請求項５〜６のいずれか一項に記載の動物用毛梳き具であって、
前記第２指掛け部の最大幅は、４１ｍｍ〜８０ｍｍである
ことを特徴とする動物用毛梳き具。
【請求項８】
請求項２又は請求項５〜７のいずれか一項に記載の動物用毛梳き具であって、
前記第２指掛け部は、最大幅をなす面である表面及び裏面が、前記表面及び前記裏面の間の両側面より幅が広く、全体として扁平な形状である
ことを特徴とする動物用毛梳き具。
【請求項９】
請求項１〜８のいずれか一項に記載の動物用毛梳き具であって、
前記突起は、略「く」の字状に屈曲、又は湾曲して形成されている
ことを特徴とする動物用毛梳き具。
【請求項１０】
請求項１〜９のいずれか一項に記載の動物用毛梳き具であって、
前記突起は、前記保持部の板面の両面に形成されている
ことを特徴とする動物用毛梳き具。
【請求項１１】
請求項１〜１０のいずれか一項に記載の動物用毛梳き具であって、
前記把持部は、前記保持部に対して前記突起の突設方向の反対方向に所定の角度で上方に屈曲して形成されている
ことを特徴とする動物用毛梳き具。
【請求項１２】
請求項１〜１０のいずれか一項に記載の動物用毛梳き具であって、
前記把持部は、前記保持部に弾性部を介して接続されている
ことを特徴とする動物用毛梳き具。
【請求項１３】
請求項１２に記載の動物用毛梳き具であって、
前記弾性部は、１０〜２０度屈曲可能である
ことを特徴とする動物用毛梳き具。
【請求項１４】
請求項１２又は１３に記載の動物用毛梳き具であって、
前記弾性部は、Ｕ字状に屈曲して形成された屈曲部を含む
ことを特徴とする動物用毛梳き具。
【考案の詳細な説明】
【技術分野】
【０００１】
本考案は、動物用毛梳き具に関する。
【背景技術】
【０００２】
従来、動物用毛梳き具として、棒状の把手を有するペット用ブラシ（例えば、特許文献１を参照）、板状の取っ手を有する動物用ブラシ（例えば、特許文献２を参照）が提案されている。
【先行技術文献】
【特許文献】
【０００３】
【特許文献１】実開平６−７２３５３号公報
【特許文献２】実用新案登録第３００９１５３号公報
【考案の概要】
【考案が解決しようとする課題】
【０００４】
動物に対するブラッシングは動物の皮膚の状態や毛並等に合わせて適宜な力で行う必要がある。力が大きすぎると皮膚を傷めてしまい、力が弱いと十分に解きほぐせない。しかし、上記動物用毛梳き具は、把手ないし取っ手が全体として棒状ないし板状に形成されたハンドル構造となっており、力の調整が難しい。
特に、これらのハンドルはハンドルを引く際に力を入れようとして握る力を増すことにより、手首や肘や各指に力が入りそれぞれの関節の動きを固める結果となり、強いては柔軟な動きを阻害する結果となっている。
【０００５】
本考案は、上記課題を解決するためのもので、適宜な力でブラッシングできる動物用毛梳き具を提供することを目的とする。
【課題を解決するための手段】
【０００６】
上記課題を解決するために、本考案に係る動物用毛梳き具は、ブラッシング用の複数の突起と、複数の前記突起が突設された保持部と、前記保持部に延設された把持部と、を備え、前記把持部は、指を通すための貫通孔が設けられたリング状の第１指掛け部を含む。
【０００７】
また、前記把持部は、前記第１指掛け部に延設され、最大幅が前記第１指掛け部の外縁の最大幅より広い第２指掛け部を含んでもよい。
【０００８】
また、前記第１指掛け部の内径の最大幅は、２０ｍｍ〜７０ｍｍであってもよい。
【０００９】
また、前記第１指掛け部の内径の最大幅は、２０ｍｍ〜４０ｍｍであってもよい。
【００１０】
また、前記第２指掛け部は、前記第１指掛け部の外縁にそれぞれ延続して形成され、指を当てるための一対の凹部と、一対の前記凹部にそれぞれ延続して形成され、指を掛けるための一対の凸部と、を含んでもよい。
【００１１】
また、前記把持部は、前記第２指掛け部に延設された握り部を含んでもよい。
【００１２】
また、前記第２指掛け部の最大幅は、４１ｍｍ〜８０ｍｍであってもよい。
【００１３】
また、前記第２指掛け部は、最大幅をなす面である表面及び裏面が、前記表面及び前記裏面の間の両側面より幅が広く、全体として扁平な形状であってもよい。
【００１４】
また、前記突起は、略「く」の字状に屈曲、又は湾曲して形成されていてもよい。
【００１５】
また、前記突起は、前記保持部の板面の両面に形成されていてもよい。
【００１６】
また、前記把持部は、前記保持部に対して前記突起の突設方向の反対方向に所定の角度で上方に屈曲して形成されていてもよい。
【００１７】
また、前記把持部は、前記保持部に弾性部を介して接続されていてもよい。
【００１８】
また、前記弾性部は、１０〜２０度屈曲可能であってもよい。
【００１９】
また、前記弾性部は、Ｕ字状に屈曲して形成された屈曲部を含んでもよい。
【考案の効果】
【００２０】
本考案によれば、適宜な力でブラッシングできる動物用毛梳き具を提供することができる。
【図面の簡単な説明】
【００２１】
【図１】実施形態１に係る動物用毛梳き具を説明するための図である。
【図２】実施形態１に係る動物用毛梳き具の使用状態を説明するための図である。
【図３】実施形態１に係る動物用毛梳き具の他の例を説明するための図である。
【図４】実施形態１の変形例１に係る動物用毛梳き具を説明するための図である。
【図５】実施形態１の変形例２に係る動物用毛梳き具を説明するための図である。
【図６】実施形態１の変形例３に係る動物用毛梳き具を説明するための図である。
【図７】実施形態２に係る動物用毛梳き具を説明するための図である。
【図８】実施形態２の変形例１に係る動物用毛梳き具を説明するための図である。
【図９】実施形態２の変形例１に係る動物用毛梳き具の他の例を説明するための図である。
【図１０】実施形態３に係る動物用毛梳き具を説明するための図である。
【図１１】実施形態３の変形例１に係る動物用毛梳き具を説明するための図である。
【考案を実施するための形態】
【００２２】
以下、図面を参照して本願に係る動物用毛梳き具の実施形態の例を説明する。以下では、動物用毛梳き具を構成する各構成部分の動物用毛梳き具全体の長手方向における幅を「長さ」と記載し、短手方向における幅を「幅」と記載する。
【００２３】
＜実施形態１＞
図１は実施形態１に係る動物用毛梳き具１を説明するための図で、図１（ａ）はその平面図、図１（ｂ）はその正面図である。図２は動物用毛梳き具１の使用状態を説明するための図である。
【００２４】
動物用毛梳き具１は、ブラッシング用の複数の突起２と、複数の突起２が突設された板状の保持部３と、保持部３に延設された把持部４と、を備える。
【００２５】
突起２は、動物の毛を解きほぐしたりしてブラッシングをするためのもので、獣の毛や樹脂製の細線、金属製の細線や、被覆した金属細線、及びこれらの組合せなどが用いられる。突起２は、棒状体でもよいし、円錐状や円錐台状などでもよく、また図１に示すように、最先端が球状に形成された棒状体であってもよい。突起２の数は、ブラッシング対象動物や後述する保持部の面積等に合わせて適宜な数に設定できる。
【００２６】
保持部３は、例えば、板状の部材により形成される。保持部３には、木材や樹脂、金属などが用いられる。保持部３の平面形状は、円形や楕円形、四角形、三角形など様々な形状に形成できる。ここでは、保持部３は、図１に示すように、角に丸みのある横長の略四角形状に形成されるものとする。
【００２７】
把持部４は、連結部４１と、第１指掛け部４２と、第２指掛け部４３と、握り部４４と、を含む。把持部４は、プラスチック樹脂（例えば、ＡＢＳ樹脂やポリプロピレン樹脂）で形成される。
【００２８】
連結部４１は、保持部３に延設された部分である。言い換えれば、把持部４は連結部４１を介して保持部３に接続される。連結部４１は、例えば、保持部３と連続する部分が広く、第１指掛け部４２と連続する部分が狭い略台形に形成される。
【００２９】
第１指掛け部４２は、連結部４１に延設された部分で、指を通すための貫通孔４５が設けられたリング状に形成される。好ましくは、貫通孔４５は円形状で、第１指掛け部４２は円形状のリング状に形成される。または、貫通孔４５が楕円形状で、第１指掛け部４２も楕円形状のリング状に形成される。第１指掛け部４２は、好ましくは、内径の最大幅Ｄｎが１７ｍｍ〜４０ｍｍ程度で、外縁の最大幅Ｄｇが２０ｍｍ〜４５ｍｍ程度である。
【００３０】
第１指掛け部４２は、把持部４の他の部分の素材と異なる素材（例えばエラストマーを重ね成形したりシリコンゴムで形成しはめ込む）で形成されても良い。また、ここでは第１指掛け部４２を一本の人差し指用としているが、大型動物用等の場合は、人差し指と中指を２本掛けたり、更に薬指を掛ける為に貫通孔４５を横長孔としても良い。
その場合は、第１指掛け部４２は、好ましくは、内径の最大幅Ｄｎが１７ｍｍ〜９０ｍｍ程度で、外縁の最大幅Ｄｇが２０ｍｍ〜９５ｍｍ程度である。
【００３１】
第２指掛け部４３は、第１指掛け部４２に延設された部分である。第２指掛け部４３は、最大幅が第１指掛け部４２の外縁の最大幅より広く形成される。第２指掛け部４３は、一対の凹部４６と、一対の凸部４７とを含む。一対の凹部４６は、第１指掛け部４２の外縁にそれぞれ延続して形成され、互いに対向している一対の凹みであって、指を当てるための部分である。一対の凸部４７は、一対の凹部４６にそれぞれ延続して形成され、互いに対向している一対の凸縁であって、指を掛けるための部分である。第２指掛け部４３は、最大幅をなす面である表面及び裏面が、表面及び裏面の間の両側面より幅が広く、全体として扁平な形状である。
【００３２】
一例として、図１に示すように、第２指掛け部４３は、第１指掛け部４２の外縁より一旦幅を狭めてから広めた後に、さらに徐々に狭める形状に形成されている。これによって、両側面において、くびれ状の凹みである一対の凹部４６と、「へ」の字状の凸縁である一対の凸部４７が形成されている。また、これによって、一対の凸部４７の間で、第２指掛け部４３の最大幅Ｗが形成されている。ここで、好ましくは、第２指掛け部４３の最大幅Ｗは３０ｍｍ〜１００ｍｍ程度であり、より好ましくは４１ｍｍ〜８０ｍｍ程度である。
【００３３】
握り部４４は、第２指掛け部４３に延設された部分である。一例として、握り部４４は、末端部分が丸みを有する形状に形成される。
【００３４】
また、動物用毛梳き具１は、一例として、長手方向の中心線Ｌに対して左右対称に形成される。または、動物用毛梳き具１は、利き手に合わせて、人差し指を第１指掛け部に通した場合に、親指を当てる側の凹部４６を中指を当てる側の凹部４６より凹みが深くなるように形成されてもよい。
【００３５】
図２に示すように、ブラッシングする際には、使用者は、人差し指を第１指掛け部４２の貫通孔４５に通し、親指及び中指をそれぞれ凹部４６に当てて凸部４７に掛けるようにし、他の指及び掌を握り部４４に当てて、把持部４を把持することができる。
【００３６】
以上のように、動物用毛梳き具１を用いれば、使用者は、人差し指を第１指掛け部に通してブラッシング方向に引くことにより、弱い力でも確実にブラッシングすることができる。
【００３７】
また、動物用毛梳き具１を用いれば、手首や指の屈伸運動方向に沿った把持態様であるため、第１指掛け部を通した人差し指や手首で動物用毛梳き具１を上下方向において細かく調整することができ、ブラッシング対象の動物の皮膚状態や骨格の凹凸状態、毛並等に合わせてブラッシングすることができ、その動物に合わせた優しいブラッシングができる。
【００３８】
さらに、動物用毛梳き具１を用いれば、各指の敏感な指腹部分を何カ所に分散して把持する態様であるため、ブラッシング対象の動物の皮膚状態や骨格の凹凸状態等が使用者に伝わりやすくなり、ブラッシングの力をさらに調整しやすくなる。
【００３９】
また、従来のハンドル構造は、ハンドルを引く際に力を入れようとして握る力を増すことにより、手首や肘や各指に力が入りそれぞれの関節の動きを固める結果となり、強いては柔軟な動きを阻害する結果となっている。
一方で本考案の動物用毛梳き具は、指を掛けて引く力を強めるだけの為に、手首や肘、や各指を固定せずに、柔軟な動きを可能とする。
また、人の髪、例えば長い髪を梳かす際にも同じように効果がある。
【００４０】
また、動物用毛梳き具１は、図３に示すように形成されてもよい。図３（ａ）はその平面図で、図３（ｂ）はその使用状態を示す図である。
ここでは、保持部３は長手方向に長く、短手方向の幅が狭く形成される。
また、第２指掛け部４３の凸部４７は、横方向（短手方向）に突出した突起状に形成される。好ましくは、凸部４７はその先端に向かうにつれて前方（保持部の方向）に傾斜する形状に形成される。これによって、横方向の動作の際に指を当てやすくなる。
【００４１】
このように形成された動物用毛梳き具１は、幅方向の動きに適している。幅方向に動作する際、第１指掛け部に掛けた指はその内径の横に当たり、上記で示した、長手方向に引く動作と同じような効果がある。更に第２指掛け部においても各指に凹部や凸部が当たり操作しやすい。
【００４２】
＜実施形態１の変形例１＞
図４は、実施形態１の変形例１に係る動物用毛梳き具１ａを説明するための図で、図４（ａ）はその平面図、図４（ｂ）はその正面図である。動物用毛梳き具１ａは、突起２ａ及び突起２ｂの２種類の突起を備える点が、実施形態１に係る動物用毛梳き具１と異なる。
【００４３】
突起２ａ及び突起２ｂは、一方が保持部３の板面の表面に、他方が保持部３の板面の裏面に突設される。突起２ａ及び突起２ｂは、形状が同じで高さないし太さが異なってもよいし、形状が異なって高さないし太さが異なってもよい。一例として、図４に示すように、突起２ａ及び突起２ｂは、形状は同じで、太さ及び高さが異なるように形成される。また、突起２ａの数が、突起２ｂより多く形成される。
【００４４】
これによって、動物用毛梳き具１ａを用いれば、上記効果以外に、さらに、一つの動物用毛梳き具でブラッシング対象の動物の年齢や種類によって使い分けることができ、経済的である。また、同じ動物であっても、毛の状態や部位（例えば背中と、お腹付近）に合わせて使い分けることができ、力加減を調整してやさしいブラッシングができる。
更に、例えば一方を粗めにし、一方を細かめにするなどで、粗梳かし面、仕上げ梳かし面としても良い。
【００４５】
＜実施形態１の変形例２＞
図５は、実施形態１の変形例２に係る動物用毛梳き具１ｂを説明するための図である。図５は、その正面図である。動物用毛梳き具１ｂは、把持部４ｂのみが、実施形態１に係る動物用毛梳き具１と異なる。
【００４６】
動物用毛梳き具１ｂは、把持部４ｂが保持部３に対して突起の突設方向の反対方向に所定の角度で屈曲して形成される。屈曲角度αは、動物用毛梳き具１ｂの全体の大きさや、ブラッシング対象動物の種類等に合わせて適宜設定することができる。一例として、屈曲角度αは、８度〜４０度程度で、好ましくは１０度〜２０度程度で、図５に示す屈曲角度αは、約１２度である。
【００４７】
これによって、動物用毛梳き具１ｂを用いれば、上記効果以外に、さらに、ブラッシングの際に、ブラッシング対象動物から少々離れた位置で動物用毛梳き具を把持してブラッシングすることができ、手がブラッシング作業の邪魔になることを避けられると共に、ブラッシングの力をさらに調整しやすくなる。
さらに、動物用毛梳き具を引くだけで、適度に突起が、体毛に滑り込む事となり、皮膚面への押しつけが軽減される。
【００４８】
＜実施形態１の変形例３＞
図６は、実施形態１の変形例３に係る動物用毛梳き具１ｃを説明するための図である。図６は、その使用状態の図である。動物用毛梳き具１ｃは、突起２ｃのみが、実施形態１の変形例２に係る動物用毛梳き具１ｂと異なる。
【００４９】
動物用毛梳き具１ｃの突起２ｃは、略「く」の字状に屈曲して形成される。突起２ｃは、直線状の根部２１ｃと、根部２１ｃに対してブラッシング方向に屈曲した先端部２２ｃを含む。屈曲角度βは、ブラッシング対象動物の種類等に応じて適宜設定することができる。一例として、屈曲角度βは、５度〜３５度程度で、好ましくは１０度〜２５度程度で、図６に示す屈曲角度βは２０度である。
【００５０】
これによって、動物用毛梳き具１ｃを用いれば、動物用毛梳き具を引くだけで、適度に突起が、体毛に滑り込む事となり、皮膚面への押しつけが軽減される。
また、上記効果以外に、さらに、ブラッシング対象動物の毛を解きほぐしやすくなり、さらに、力加減を調整してやさしいブラッシングができるようになる。
【００５１】
＜実施形態２＞
図７は、実施形態２に係る動物用毛梳き具１ｄを説明するための図で、図７はその斜視図である。動物用毛梳き具１ｄは、ブラッシング用の複数の突起２と、複数の突起２が突設された保持部３と、保持部３に延設された把持部４ｄと、を備える。以下では、実施形態１と同様な構成については同様な符号を付し、その説明を省略する。
【００５２】
把持部４ｄは、弾性部４１ｄと、第１指掛け部４２と、第２指掛け部４３と、握り部４４と、を含む。すなわち、動物用毛梳き具１ｄの把持部４ｄは、連結部４１の代わりに、弾性部４１ｄを含んで構成される。言い換えれば、把持部４は弾性部４１ｄを介して保持部３に接続される。
【００５３】
弾性部４１ｄは、少なくとも１０〜２０度屈曲可能である。動物用毛梳き具１ｄは、弾性部４１ｄの屈曲角度が１０〜２０度になるように押しつけたときの保持部３の荷重が５００〜１３００ｇとなるように構成することができる。
【００５４】
一例として、弾性部４１ｄは、ブラッシング方向に略直交する方向にＵ字状に屈曲して形成される屈曲部４８ｄを含んで構成される。屈曲部４８ｄは、一回以上屈曲して形成される。屈曲部４８ｄにおける屈曲の回数や屈曲部分の高さは把持部４ｄに用いられる材料やブラッシング対象動物等に合わせて適宜設定することができる。好ましくは、屈曲部４８ｄは、１〜５回屈曲して形成され、図７に示す屈曲部４８ｄは、３回屈曲して形成される。
【００５５】
動物用毛梳き具１ｄは、実施形態１に記載の効果以外に、さらに、弾性部４１ｄを含むことによって、ブラッシングの際に、複数の突起２がブラッシング対象動物に当接する力加減が自動的に調整される。また、ブラッシング作業の角度、即ち、第１指掛け部や第２指掛け部に掛けた指で把持部４ｄを引く作業におけるブラッシング対象との角度が自動的に調整される。これによって、ブラッシング対象動物の皮膚状態や毛並、骨格の凹凸等に合わせたブラッシングができ、さらにその動物にやさしいブラッシングができる。
【００５６】
＜実施形態２の変形例１＞
図８は、実施形態２の変形例１に係る動物用毛梳き具１ｅを説明するための図である。動物用毛梳き具１ｅは、ブラッシング用の複数の突起２ｅと、複数の突起２ｅが突設された保持部３ｅと、保持部３ｅに延設された把持部４ｄと、を備える。以下では、実施形態２と同様な構成については同様な符号を付し、その説明を省略する。なお、ここでは、ブラッシング対象動物に近付ける方向を下方とし、その逆方向を上方とする。
【００５７】
保持部３ｅは、一例として、図８に示すように、保持部本体３１ｅと、複数の突起２ｅが突設された保持板３２ｅと、押しボタン３３ｅを含み、保持板３２ｅは、押しボタン３３ｅを押すことによって、保持部本体３１ｅにおいて出没可能に形成される。即ち、保持板３２ｅは、押しボタン３３ｅを押すことによって、保持部本体３１ｅにおいて上下方向にスライド可能に形成される。これによって、収納状態では、保持板３２ｅは保持部本体３１ｅの内部に収納され、損傷しやすい突起２ｅを保護するとともに突起２ｅの先端部によって使用者等が怪我すること等を防止することができる。なお、保持部３ｅは、押しボタン３３ｅを押すことによって、保持板３２ｅが保持部本体３１ｅに対して下降する（又は上昇する）幅（度合い）を調整可能に形成されてもよい。
【００５８】
好ましくは、保持板３２ｅは、金属製又はプラスチック製である。突起２ｅは、保持板３２ｅの下方の縁部に一列に突設される。突起２ｅは、保持板３２ｅと同様な素材で形成されてもよく、保持板３２ｅと一体に形成されてもよい。好ましくは、突起２ｅは櫛状に保持板３２ｅと一体に形成される。
なお、ここでは、突起２ｅが一列の例を示すが、複数列であっても良い。
【００５９】
図９は、実施形態２の変形例１に係る動物用毛梳き具１ｅの他の例を説明するための図である。保持部３ｅは、図９に示すように、さらに除去板３４ｅを含み、保持板３２ｅが固定され、押しボタン３３ｅを押すことによって、除去板３４ｅが保持部本体３１ｅにおいて出没（スライド）可能に形成されてもよい。除去板３４ｅは、保持板３２ｅに沿って、保持板３２ｅの把持部側に設けられる。これによって、押しボタン３３ｅを押すことによって、除去板３４ｅが下降（スライド）してブラッシング作業で複数の突起２ｅの間に挟まれた抜け毛等を押し落して除去できる。なお、除去板３４ｅが保持板３２ｅの把持部側の反対側に設けられても良いことは言うまでもない。
【００６０】
また、ここでは、第１指掛け部４２は、図示のように二本の指を掛けられるように、貫通孔４５が横長状に形成されている。また、図示のように、第２指掛け部の片側には親指、反対側には薬指と小指を掛けることができる。
【００６１】
また、図示しないが、保持部３ｅは、２枚の保持板３２ｅを含み、それぞれの保持板３２ｅに突起２ｅが櫛状に一体に突設され、除去板３４ｅはこの２枚の保持板３２ｅの間に設けられ、押しボタン３３ｅを押すことによって、除去板３４ｅが下降（スライド）してブラッシング作業で複数の突起２ｅの間に挟まれた抜け毛等を押し落して除去できるようにしてもよい。
なお、ここでは、抜け毛等を押し落とす一例を示したが、これに限定するものではない。
【００６２】
＜実施形態３＞
図１０は実施形態３に係る動物用毛梳き具１ｆを説明するための図、図１０（ａ）はその一例を示す平面図で、図１０（ｂ）は他の一例を示す図である。動物用毛梳き具１ｆは、ブラッシング用の複数の突起２ｆと、複数の突起２が突設された保持部３ｆと、保持部３に延設された把持部４と、を備える。以下では、実施形態１と同様な構成については同様な符号を付し、その説明を省略する。
【００６３】
動物用毛梳き具１ｆは、図示のように、突起２ｆ及び保持部３ｆが一体に櫛状に形成される。突起２ｆ及び保持部３ｆには、木材や樹脂、金属等が用いられる。一例として、図１０（ａ）に示すように、動物用毛梳き具１ｆは、保持部３ｆが長手方向に長く、短手方向に幅が狭く形成され、突起２ｆが保持部３ｆの長手方向に沿って一方の縁部に一列に突設される。
【００６４】
また、動物用毛梳き具１ｆは、図１０（ｂ）に示すように、突起２ｆを、保持部３ｆの長手方向に沿って縁部の両方にそれぞれ一列に突設してもよい。ここで、突起２ｆを一方が他方より太く形成して、一方を粗梳かし用、他方を仕上げ梳かし用としてもよい。
【００６５】
また、図１０（ｂ）に示すように、第２指掛け部４３の凸部４７は、横方向（短手方向）に突出した突起状に形成してもよい。好ましくは、凸部４７はその先端に向かうにつれて前方（保持部の方向）に傾斜する形状に形成される。これによって、横方向の動作の際に指を当てやすくなる。
【００６６】
動物用毛梳き具１ｆは、横方向のブラッシングに適しており、横方向に引くことで適宜な力でブラッシングできる。
【００６７】
＜実施形態３の変形例１＞
図１１は実施形態３の変形例１に係る動物用毛梳き具１ｇを説明するための図で、図１１（ａ）はその平面図、図１１（ｂ）はその使用状態を示す図である。動物用毛梳き具１ｇは、把持部４ｇの連結部４１ｇ及び第１指掛け部４２ｇが実施形態３に係る動物用毛梳き具１ｆと異なる。
【００６８】
動物用毛梳き具１ｇは、突起部２ｆ及び保持部３ｆと、第１指掛け部４２ｇ及び第２指掛け部４３、把持部４４とが、第１指掛け部４２ｇを軸に所定の角度γをなすように形成される。
【００６９】
一例として、動物用毛梳き具１ｇは、図示のように、連結部４１ｇが第１指掛け部４２ｇを軸に回動することができ、連結部４１ｇにはその表面から突出した複数の係止部４９ｇが形成され、第１指掛け部４２ｇにはその外縁から突起した係止爪５０ｇが形成され、係止爪５０ｇが係止部４９ｇに係止されることによって、角度γが段階的に調整されるように形成される。
【００７０】
以上、本考案に係る動物用毛梳き具の実施形態について説明したが、これらは本考案の実施形態の一例に過ぎず、本考案はこれらに限定されるものではない。本考案には、以上の各実施形態を組み合わせた形態や、様々な変形例が含まれる。
【００７１】
例えば、上記考案は、人の髪、例えば長い髪を梳かす際にも同じように効果がある。保持部に突設した突起の長さや太さなどを適宜選択することで対応することが出来る。
【符号の説明】
【００７２】
１、１ａ、１ｂ、１ｃ、１ｄ、１ｅ        動物用毛梳き具
２、２ａ、２ｂ、２ｃ、２ｅ              突起
３、３ｅ                                保持部
３１ｅ                                  保持部本体
３２ｅ                                  保持板
３３ｅ                                  押しボタン
３４ｅ                                  除去板
４、４ｂ、４ｄ                          把持部
４１                                    連結部
４１ｄ                                  弾性部
４２                                    第１指掛け部
４３                                    第２指掛け部
４４                                    握り部
４５                                    貫通孔
４６                                    凹部
４７                                    凸部
４８ｄ                                  屈曲部
【図１】
0003201133.tif 000003
【図２】
0003201133.tif 000004
【図３】
0003201133.tif 000005
【図４】
0003201133.tif 000006
【図５】
0003201133.tif 000007
【図６】
0003201133.tif 000008
【図７】
0003201133.tif 000009
【図８】
0003201133.tif 000010
【図９】
0003201133.tif 000011
【図１０】
0003201133.tif 000012
【図１１】
0003201133.tif 000013